(57)【要約】【課題】  回転式タイプの革新的な燃焼器を提供する。【解決手段】  固定構造体2と、非接触のサスペンション手段5-8によって軸を中心にして構造体2により回転可能に支持された管状ロータ3と、制御手段35と、を備える。ロータにおいて、燃焼ガスを排出するための指向した側面の流出開口21,23を有する環状の燃焼チャンバー20が形成されている。ロータ3は、狭い円形スリット30を有し、燃焼チャンバー20の中には、噴射手段31及び点火手段32が狭い円形スリットを通して所定の角度間隔で延在している。制御手段35は、環状チャンバー20を通して連続的に伝わる自然爆発波を生成するとともに、側面の流出開口21,23から噴出したガスの働きで制御速度でロータが回転するように、噴射手段31及び点火手段32を所定のタイムラグで順次且つ循環的に制御するように構成されている。【選択図】図１
2005188922.tif 000002
【特許請求の範囲】
【請求項１】
回転式燃焼器(1)は、
固定構造体(2)と、
非接触のサスペンション手段(5-8)によって軸を中心にして前記構造体(2)により回転可能に支持された円環形状をした少なくとも一つの管状ロータ(3)と、
制御手段（ECU, 35）と、を備え、
前記ロータにおいて、燃焼によって生成されたガスを排出するための少なくとも一つの指向した側面の流出開口(21,23)を有する少なくとも一つの環状の燃焼チャンバー(20)が形成されており、
前記少なくとも一つのロータ(3)は、狭い円形スリット(30)を有し、
燃焼チャンバー(20)の中には、燃料及び酸化剤の制御された噴射手段(31)及び付随する点火手段(32)が狭い円形スリットを通して所定の角度間隔で延在しており、
前記制御手段（ECU, 35）は、環状チャンバー(20)を通して連続的に伝わる自然爆発波を生成するとともに、少なくとも一つの側面の流出開口(21,23)から噴出したガスの働きで制御速度でロータが回転するように、噴射手段(31)及び付随する点火手段(32)を所定のタイムラグで順次且つ循環的に制御するように構成されていることを特徴とする回転式燃焼器(1)。
【請求項２】
前記燃焼チャンバー(20)は、当該チャンバーの平均横方向寸法のおおよそ４０倍以上の寸法であることを特徴とする、請求項１記載の回転式燃焼器。
【請求項３】
前記非接触のサスペンション手段は、磁気サスペンション手段(5-8)であることを特徴とする、請求項１又は２に記載の回転式燃焼器。
【請求項４】
前記サスペンション手段は、複数の永久磁石(5-8)を備えることを特徴とする、請求項３記載の回転式燃焼器。
【請求項５】
ステータと、請求項１乃至４のいずれか一つに記載の回転式燃焼器に接続されたロータとを備えることを特徴とする発電機。
【請求項６】
請求項４記載の回転式燃焼器を含み、上記サスペンション手段の磁石(5,6)が発電機の誘導部品として用いられることを特徴とする、請求項５記載の発電機。
【発明の詳細な説明】
【技術分野】
【０００１】
本発明は、例えばモータとして使用可能である回転式タイプの革新的な燃焼器に関する。本発明は、特に、燃料で動く発電所の発電機のような発電機を駆動するための燃焼器に関する。
【発明の開示】
【０００２】
本発明に係る回転式燃焼器は、
固定構造体と、
非接触のサスペンション手段によって軸を中心にして前記構造体により回転可能に支持された円環形状をした少なくとも一つの管状ロータと、
制御手段とを備え、
前記ロータにおいて、燃焼によって生成されたガスを排出するための少なくとも一つの指向した（directed）側面の流出（effusion）開口を有する少なくとも一つの環状の燃焼チャンバーが形成されており、
前記少なくとも一つのロータは、狭い円形スリットを有し、
燃焼チャンバーの中には、燃料及び酸化剤の制御された噴射手段及び付随する（associated）点火手段が狭い円形スリットを通して所定の角度間隔で延在しており、
制御手段は、環状チャンバーを通して連続的に伝わる自然爆発（detonation）波を生成するとともに、少なくとも一つの側面の流出開口から噴出したガスの働きで制御速度でロータが回転するように、噴射手段及び付随する（associated）点火手段を所定のタイムラグで順次且つ循環的に制御するように構成されていることを特徴としている。
【０００３】
本発明は、ロータ及びステータを備える発電機に関する。発電機において、ロータは、上で規定したタイプの回転式燃焼器によって回転する。
【０００４】
本発明の他の特徴及び利点は、添付図面を参照して、単に非限定的な例として表示されている以下の詳細な説明によって明白になるだろう。
【発明を実施するための最良の形態】
【０００５】
図１及び２では、参照1は、本発明に係る回転式燃焼器の一般的な参照符号である。
【０００６】
この燃焼器1は、図２に模式的に示される固定構造体2を備える。
【０００７】
図示された実施形態では、回転式燃焼器1は、円環形状の管状ロータ3を備える。このロータ3は、非接触のサスペンション手段によって軸4を中心にして回転可能に支持されている。図示された実施形態では、これらのサスペンション手段は、ロータ3の上に取り付けられて、軸4と並行な方向に磁化された環状の永久磁石5，6を備える。両方とも、下方を指向している、同じ磁極性(例えば「Ｓ極」)を有する。固定構造体2上に取り付けた対応する環状の磁石7，8が、ロータ3上に取り付けられた環状の磁石5，6に面している。磁石7，8は、軸4と並行な方向に磁化されている。それらの上向きの極性は、磁石5，6によって表示されたものと同じである。例えば「Ｓ極」である。
【０００８】
磁気サスペンションの配置は、単純な形で模式的に単に表示されている。それ自身知られている技術によって作られた非接触のサスペンションの仕組み（scheme）、特に磁気タイプのサスペンションの仕組みで、ロータ3が固定構造体2に対して支持される。
【０００９】
特に磁気タイプの、非接触のサスペンションを提供する他の方法は、「航空機」に関して、2004年7月29日に同じ出願人の名で出願された、ヨーロッパ特許出願番号04017945.9に例えば記述される。
【００１０】
図１及び２を参照すること。実施形態において、軸4を中心にして回転可能に取り付けられたハブ13を中心にして相互連結される、複数のスポーク12にロータ3が接続されている。
【００１１】
図１及び２に示した実施形態において、管状のロータ3は、その内部において環状の燃焼チャンバー20を形成している。環状の燃焼チャンバー20は、ロータの周りをぐるりと延在している。
【００１２】
燃焼チャンバー20は、燃焼ガスの排出のための少なくとも一つの側面開口21を有している。排出ノズル23が、この開口に接続されている。排出ノズル23は、公知の方法で適切に形づくられており、ロータの回転方向に関してある角度をなす方向を向いている。
【００１３】
ロータ3の部分において狭い円形スリット30が固定構造体2に面している。円形スリット30を通して、燃料及び酸化剤の複数の制御された噴射器は、燃焼チャンバー20の中に延在している。これらの噴射器は制御された点火装置32をそれぞれ有している。
【００１４】
噴射器31及び点火装置32は、構造体2と一体的に固定されている。
【００１５】
燃焼チャンバー20の中に噴射される燃料及び酸化剤は、例えば水素及び酸素であり、より一般には、炭化水素類（燃焼プロセスを触媒するナノ粒子又は燃料の特定のエネルギーを増加させるための粒子を含む）及び空気（圧縮空気であってもよい）である。
【００１６】
図１にECUとマークされた電子制御装置が回転式燃焼器1に接続されている。超音速でチャンバー20に広まる、言いかえれば実際の自然爆発（detonation）波を生成するチャンバー20での燃焼反応をトリガーするために、このユニットは、それ自身知られているインターフェース・デバイスを用いて、噴射器31及び点火装置32を所定の方法で制御するように構成されている。ECUユニットは、環状の燃焼チャンバー20において連続的に伝わる自然爆発（detonation）波を生成して維持するように、噴射器31及び点火装置32を所定のタイムラグで順次（sequential）循環的に（cyclical）作動するように構成されている。
【００１７】
排気ノズル23を通した排気ガスの部分的な排出又はブリーディング（bleeding）は、図１の矢印Fによって示された方向にロータ3の回転を、反作用（reaction）によって、もたらす。
【００１８】
好ましくは、ロータの回転スピードは、それ自身知られているタイプのセンサー35(図１)によって感知されたロータの実際の回転スピードの関数として、閉ループでECUユニットによって制御される。
【００１９】
好ましくは、チャンバー20での燃焼反応が、単なる爆燃（deflagration）ではなく自然爆発（detonation）によって起こることを保証するために、前記チャンバー20の長さは、このチャンバーの平均横方向寸法のおよそ40倍以上であり、好ましくは、この平均の横寸法の40倍乃至100倍の間にある。
【００２０】
当業者には多くの異なった他の実施形態が明らかであろう。
【００２１】
例えば、不図示の他の実施形態では、回転式燃焼器は上記タイプのロータを二つ備えている。ロータは、共通の固定された支持構造から、非接触のサスペンション手段により回転可能に支持されている。ロータは同じ方向にあるいは反対方向に回転する。
【００２２】
本発明によって作られた回転式燃焼器は、マイクロモーターとして、特に発電機を駆動するためのマイクロモーターとして使用可能である。これらの用途では、不図示のやり方で、上記タイプの燃焼器のロータは、かかる発電機のロータに接続される。
【００２３】
好ましくは、少なくとも、本発明に係る回転式燃焼器のロータのサスペンションに用いられた磁石のいくつかは、かかる発電機の誘導部品として共同的に用いることができる。
【００２４】
明らかに、本発明の原理から逸脱することなく、実施形態の実際の形式及び細部は、添付した請求項で規定されるような本発明の範囲を逸脱しないで、単に非限定的な例として記載し且つ図示したものと非常に異なったものとすることができる。
【図面の簡単な説明】
【００２５】
【図１】本発明に係る回転式燃焼器の平面図である。
【図２】図１におけるII-II面での断面図である。
【符号の説明】
【００２６】
２  固定構造体
３  ロータ
４  軸
５，６  永久磁石
２０  燃焼チャンバー
２１  側面開口
３０  円形スリット
３１  噴射器
３２  点火装置
【図１】
2005188922.tif 000003
【図２】
2005188922.tif 000004